(57)【特許請求の範囲】
【請求項１】
扱胴（１０）を軸装した脱穀室（１１）の下方に唐箕（１６）からの送風により風選する風選室（１８）を設け、該風選室（１８）に前後方向に往復揺動する揺動選別棚（２０）を設け、該揺動選別棚（２０）には、穀粒と藁屑等とを選別するフィン（３７）を揺動方向に複数並設したシーブ（２３）を設け、該シーブ（２３）は前側シーブ（２６）と、該前側シーブ（２６）の後側の後側シーブ（２７）とにより構成し、前記前側シーブ（２６）と後側シーブ（２７）のうちの少なくとも前側シーブ（２６）には、左右往復移動する前側拡散用移動部材（４０）を設け、該前側拡散用移動部材（４０）の後端部を後側シーブ（２７）の前端部に臨ませて配置し、前側拡散用移動部材（４０）の前記フィン（３７）との摺接部（４１）の少なくとも左側側面には、側方に突出する掻き板部（４３）を設け、該掻き板部（４３）に、正面視において前記摺接部（４１）側が最も高く、左側方に至るに従い低くなる上側傾斜面（４４）と、平面視において前側が最も幅広く後側に至るに従い狭くなる側部傾斜縁（４５）を備えたことを特徴とする脱穀装置。
【請求項２】
請求項１記載の発明において、前記前側拡散用移動部材（４０）を左右方向に複数並設し、各前側拡散用移動部材（４０）を、前記フィン（３７）よりも下側の部位で連結部材（４７）により一体的に連結したことを特徴とする脱穀装置。
【請求項３】
請求項１または請求項２記載の発明において、前記前側拡散用移動部材（４０）を備えた前側シーブ（２６）を、揺動選別棚（２０）における前記唐箕（１６）の選別風の作用域より始端側の部位に設けたことを特徴とする脱穀装置。
【請求項４】
請求項１または請求項２または請求項３記載の発明において、前記後側シーブ（２７）に左右往復移動する後側拡散用移動部材（６１）を左右方向に複数並設し、前記前側拡散用移動部材（４０）と後側拡散用移動部材（６１）とを単一の駆動手段により互いに反対方向に往復移動させる構成としたことを特徴とする脱穀装置。
【請求項５】
請求項４記載の発明において、前記揺動選別棚（２０）の後部の左右何れか一側に、吸引排塵ファン（３３）のケーシング（３４）の吸引口（５９）を開口させ、前記左右方向に複数並設した各前側拡散用移動部材（４０）と各後側拡散用移動部材（６１）の上部には、平面視で後方に至るに従い吸引口（５９）側に位置するように傾斜させたガイド体（６０）を設けたことを特徴とする脱穀装置。
【発明の詳細な説明】
【技術分野】
【０００１】
本発明は、脱穀装置に係るものである。
【背景技術】
【０００２】
従来、脱穀室の下方に揺動選別装置を設け、揺動選別棚には、脱穀室からの落下物から穀粒を選別するシーブを設け、シーブに付着した藁屑を除去する清掃手段を設けた構成は、公知である（特許文献１参照）。
【先行技術文献】
【特許文献】
【０００３】
【特許文献１】特開２００９−１００６７１号公報
【発明の概要】
【発明が解決しようとする課題】
【０００４】
前記公知例は、単に、シーブに左右往復移動する摺接部材を設けた構成のため、シーブの付着物の除去はできるが、揺動選別棚上の被処理物の均分化は期待できず、穀粒回収に被処理物の移送時間（処理時間）を要し、揺動選別棚の長さが長くなるという課題がある。
本願は、シーブの移動部材の構成を工夫して、穀粒回収効率を向上させ、機体の小型化を図ったものである。
【課題を解決するための手段】
【０００５】
請求項１の発明は、扱胴１０を軸装した脱穀室１１の下方に唐箕１６からの送風により風選する風選室１８を設け、該風選室１８に前後方向に往復揺動する揺動選別棚２０を設け、該揺動選別棚２０には、穀粒と藁屑等とを選別するフィン３７を揺動方向に複数並設したシーブ２３を設け、該シーブ２３は前側シーブ２６と、該前側シーブ２６の後側の後側シーブ２７とにより構成し、前記前側シーブ２６と後側シーブ２７のうちの少なくとも前側シーブ２６には、左右往復移動する前側拡散用移動部材４０を設け、該前側拡散用移動部材４０の後端部を後側シーブ２７の前端部に臨ませて配置し、前側拡散用移動部材４０の前記フィン３７との摺接部４１の少なくとも左側側面には、側方に突出する掻き板部４３を設け、該掻き板部４３に、正面視において前記摺接部４１側が最も高く、左側方に至るに従い低くなる上側傾斜面４４と、平面視において前側が最も幅広く後側に至るに従い狭くなる側部傾斜縁４５を備えたことを特徴とする脱穀装置としたものであり、前側拡散用移動部材４０は前側シーブ２６上を左右往復移動して、前側シーブ２６のフィン３７に付着した被処理物を、掻き板部４３で浮かせて攪拌しながら、前側シーブ２６上の被処理物を拡散させる。
このとき、揺動選別棚２０の前後往復揺動によって、前側シーブ２６から後側シーブ２７に移送される過程で、前側拡散用移動部材４０の左右往復移動により後側シーブ２７へ引き継ぐ被処理物を拡散させ、選別処理する。
請求項２の発明は、前記前側拡散用移動部材４０を左右方向に複数並設し、各前側拡散用移動部材４０を、前記フィン３７よりも下側の部位で連結部材４７により一体的に連結したことを特徴とする脱穀装置としたものであり、左右方向に複数並設した各前側拡散用移動部材４０は一体的に左右往復移動して、揺動選別棚２０上の被処理物を拡散および蛇行させながら後側に向けて移送して、選別処理する。
請求項３の発明は、前記前側拡散用移動部材４０を備えた前側シーブ２６を、揺動選別棚２０における前記唐箕１６の選別風の作用域より始端側の部位に設けたことを特徴とする脱穀装置としたものであり、脱穀室１１で脱穀された被処理物は、揺動選別棚２０の始端部のシーブ２３のうちの前側シーブ２６に移送され、前側シーブ２６上を左右往復移動する前側拡散用移動部材４０により、唐箕１６からの送風を受ける前から前側シーブ２６上で蛇行しながら選別回収処理される。
請求項４の発明は、前記後側シーブ２７に左右往復移動する後側拡散用移動部材６１を左右方向に複数並設し、前記前側拡散用移動部材４０と後側拡散用移動部材６１とを単一の駆動手段により互いに反対方向に往復移動させる構成としたことを特徴とする脱穀装置としたものであり、前側シーブ２６の前側拡散用移動部材４０と後側シーブ２７の後側拡散用移動部材６１とが、単一の駆動手段により互いに反対方向に往復移動するので、前側シーブ２６上で蛇行した被処理物を後側シーブ２７上で後側拡散用移動部材６１により更に拡散させながら選別処理する。
請求項５の発明は、前記揺動選別棚２０の後部の左右何れか一側に、吸引排塵ファン３３のケーシング３４の吸引口５９を開口させ、前記左右方向に複数並設した各前側拡散用移動部材４０と各後側拡散用移動部材６１の上部には、平面視で後方に至るに従い吸引口５９側に位置するように傾斜させたガイド体６０を設けたことを特徴とする脱穀装置としたものであり、複数並設した各前側拡散用移動部材４０と各後側拡散用移動部材６１により前側シーブ２６と後側シーブ２７上の被処理物を、左右方向に蛇行させながら、比重が小さいために被処理物の上に偏った藁屑は、各前側拡散用移動部材４０と各後側拡散用移動部材６１の上部のガイド体６０により吸引口５９に向けて寄せられ、吸引排塵ファン３３により藁屑を吸引して穀粒と分離処理する。
【発明の効果】
【０００６】
請求項１記載の発明では、前側シーブ２６上を前側拡散用移動部材４０が左右往復移動して、前側シーブ２６のフィン３７に付着した被処理物を、掻き板部４３で浮かせて攪拌しながら、前側シーブ２６上の被処理物を左右方向に移動させるので、後側シーブ２７上に引き継ぐ被処理物を均分化することができ、穀粒回収効率を向上させることができ、また、後側シーブ２７の全域を有効利用できるので、処理時間を短くせずに揺動選別棚２０の全長を短くでき、脱穀装置３の小型化ができる。
請求項２記載の発明では、左右方向に複数並設した各前側拡散用移動部材４０を一体的に往復移動させることで、前側シーブ２６上の被処理物を、前側拡散用移動部材４０の間で蛇行させながら後方に移送するので、処理時間を短くせずに揺動選別棚２０の全長を短くできる。また、各前側拡散用移動部材４０を一体的に往復移動させるにあたり、連結部材４７をフィン３７よりも下方に設けたので、前側シーブ２６上の被処理物の移送を妨げず、前側シーブ２６の全面有効利用して選別処理でき、穀粒回収効率を向上させることができる。
請求項３記載の発明では、唐箕１６からの送風作用を受けない部分の前側シーブ２６の部分でも穀粒選別を行うことができ、穀粒の選別回収処理効率を向上させると共に、脱穀装置３内の空間を有効利用できて、脱穀装置３の小型化ができる。
請求項４記載の発明では、前側シーブ２６の前側拡散用移動部材４０と後側シーブ２７の後側拡散用移動部材６１とを互いに反対方向に往復移動させるので、被処理物の拡散効果を向上させ、穀粒回収効率を向上させることができ、また、単一の駆動手段により往復移動させるので、構成を簡素にでき、安価に提供できる。
請求項５記載の発明では、前側シーブ２６及び後側シーブ２７上の被処理物を、各前側拡散用移動部材４０と各後側拡散用移動部材６１により蛇行させながら選別し、比重が小さいために被処理物の上に偏った藁屑は、各前側拡散用移動部材４０と各後側拡散用移動部材６１の上部のガイド体６０により吸引口５９に向けて寄せられるので、吸引排塵ファン３３により吸引しやすくなり、揺動選別棚２０の選別性能を向上させることができる。
【図面の簡単な説明】
【０００７】
【図１】コンバインの側面図。
【図２】脱穀装置の縦断側面図。
【図３】脱穀装置の横断平面図。
【図４】（イ）拡散用移動部材の斜視図。                （ロ）拡散用移動部材の側面図。
【図５】脱穀装置の一部縦断側面図。
【図６】シーブの平面図。
【図７】シーブの背面図。
【図８】揺動選別装置の他の実施例の横断平面図。
【図９】揺動選別装置の他の実施例の背面図。
【図１０】シーブの着脱状態側面図。
【図１１】シーブの背面図。
【図１２】シーブの背面図。
【図１３】シーブと拡散用移動部材の他の実施例の平面図。
【図１４】同側面図。
【図１５】穀粒貯留ホッパの実施例の側面図。
【図１６】同背面図。
【図１７】同平面図。
【図１８】同平面図。
【発明を実施するための形態】
【０００８】
本発明の一実施例をコンバインの例にて図面により説明すると、１はコンバインの機体フレーム、２は走行装置、３は機体フレーム１の上方に設けた脱穀装置、４は脱穀装置３の前側に設けた刈取装置、５は脱穀装置３の側部に設けたグレンタンク、６はグレンタンク５の前方に設けた操縦部である。
前記刈取装置４は、圃場の穀稈を分草する分草装置７と、穀稈を引き起こす引起装置８と、引き起こした穀稈を切断する刈刃９等を備えている。
前記脱穀装置３は、上部に扱胴１０を略水平に軸装した脱穀室１１を設け、脱穀室１１の一側には前記刈取装置４により刈り取った穀稈を供給搬送する穀稈供給搬送装置１２の穀稈を挾持搬送する挾扼杆１３Ａと供給搬送チエン１３Ｂを設けている。１４は穀稈供給搬送装置１２から引き継いだ脱穀済みの排藁を搬送する排藁搬送装置である。
なお、理解を容易にするため、便宜的に方向を示して説明しているが、これらにより構成が限定されるものではない。
【０００９】
扱胴１０の主として下方側は扱網１５により包囲し、扱網１５の下方には唐箕１６の唐箕ケーシング１７を設ける。前記脱穀室１１の下方には前記唐箕１６の送風により穀粒と異物とを風選し得る風選室１８を形成し、風選室１８内には唐箕１６の送風方向（前後方向）に往復揺動する揺動選別棚２０により構成した揺動選別装置２１を設ける。
揺動選別装置２１は、その揺動選別棚２０の始端部（前端部）を唐箕ケーシング１２の上方に位置させて移送棚部２２に形成する。移送棚部２２の構成は任意であり、移送方向下手側を低く傾斜させたり、あるいは、移送棚部２２の上面に突起や凹凸を設けて、揺動選別装置２１の移送方向下手側のシーブ（グレンシーブ）２３に向けて扱網１５からの落下物を移送できればよい。
２４は被処理物を穀稈供給搬送装置１２に誘導する移送棚部２２の上面に設けた寄せ板である。
【００１０】
前記シーブ２３は脱穀室１１の排稈口２５の略下方よりも上手側に設けた前側シーブ２６と、排稈口２５の略下方から下手側に設けた後側シーブ２７を有している。
３０は後側シーブ２７の下手側に設けたストローラック、３１は揺動選別棚２０の下方所定位置に設けた一番コンベア、３２は一番コンベア３１の後側に設けた二番コンベア、３３は吸引排塵ファン、３４は吸引排塵ファン３３のケーシング、３５は排塵処理装置、３５Ａは脱穀室１１と排塵処理装置３５とを連通する連通口、３６は二番処理装置である。
しかして、前側シーブ２６および後側シーブ２７は、薄い縦方向の平板形状のフィン３７を、枠体３８に前後に所定間隔をおいて揺動方向に夫々複数並設し、移送方向の下手側（後側）が高くなるように傾斜させて設けて構成する。
【００１１】
しかして、前記前側シーブ２６および後側シーブ２７のうち、少なくとも、前側シーブ２６には、前側拡散用移動部材４０を設ける。前側拡散用移動部材４０は前側シーブ２６と共に、枠体３８に取付け、枠体３８を揺動選別棚２０に対して着脱自在に取付ける。枠体３８ごと前側拡散用移動部材４０と前側シーブ２６とは、揺動選別棚２０に対して着脱自在に構成する。
前記前側拡散用移動部材４０は、その後端部を後側シーブ２７の前端部に臨ませて配置すると、前側シーブ２６から後側シーブ２７への被処理物の受け渡しが良好になって、好適である。
前側拡散用移動部材４０は、揺動選別棚２０の揺動方向に平行な摺接部４１を有して構成する。
【００１２】
各摺接部４１には前記フィン３７の断面形状に合わせた透孔４２を複数形成し、各透孔４２に各フィン３７を挿通して取付ける。
即ち、摺接部４１の縦板部４１Ａは、縦向きの平板状を呈し該縦向きの平板面に前記フィン３７の断面形状に合わせた透孔４２を複数形成し、各透孔４２に各フィン３７を挿通して取付ける（図４）。
そのため、摺接部４１は移動する際にフィン３７の上面の被処理物を拡散させるだけでなく、フィン３７の下面の付着物の除去作用も期待する。
前側拡散用移動部材４０は、揺動選別棚２０の揺動方向に対する交差方向に往復移動する構成とし、揺動選別棚２０の揺動と相俟って前側拡散用移動部材４０は揺動選別棚２０上を被処理物が終端に向かって蛇行しながら移送させられ、移送距離が長くなって、穀粒の回収効率を向上させられ、穀粒損失の低減が図れる。
【００１３】
また、前記前側拡散用移動部材４０の摺接部４１には、フィン３７の上面を摺接する掻き板部４３を設けると、前側拡散用移動部材４０の往復揺動によって、前側シーブ２６のフィン３７に付着した被処理物を、掻き板部４３で浮かせて攪拌して、前側シーブ２６上の被処理物を拡散させ、一層、拡散性能を向上させられる。
掻き板部４３の形状の構成は任意であるが、フィン３７上の被処理物に対して斜めに当接するように構成する。
即ち、散用移動部材４０の後端部を後側シーブ２７の前端部に臨ませて配置し、前側拡散用移動部材４０の前記フィン３７との摺接部４１の少なくとも左側側面には、側方に突出する掻き板部４３を設け、該掻き板部４３に、正面視において前記摺接部４１側が最も高く、左側方に至るに従い低くなる上側傾斜面４４と、平面視において前側が最も幅広く後側に至るに従い狭くなる側部傾斜縁４５を備えるとよい。
【００１４】
実施例では、掻き板部４３は、平面視および正面視において略三角形状を呈し、正面視において左右中央位置が最も高く、左右側方に至るに従い低くなる上側傾斜面４４と、平面視において前側が最も最も幅広く後側に至るに従い狭くなる側部傾斜縁４５を有して形成している。
そのため、摺接部４１によりフィン３７上の被処理物を拡散させる際に、摺接部４１の掻き板部４３の正面視の上側傾斜面４４と平面視の側部傾斜縁４５がフィン３７の被処理物に斜めに当たり、飛散角度を上向きにする作用を期待している。
前記前側拡散用移動部材４０の、揺動選別棚２０の揺動方向に対する交差方向に往復移動させる構成は、任意であるが、一例を示すと、前記フィン３７よりも下側の前記各摺接部４１の下部に取付部４６を設け、各摺接部４１の取付部４６を連結部材４７により一体的に連結して、各摺接部４１が互いに所定間隔を保持したまま、左右方向に往復移動させる。
【００１５】
前側拡散用移動部材４０の互いに連結した複数の摺接部４１のうちの何れかには縦方向の取付軸４８を取付け、取付軸４８は前後方向の前後アーム４９の先端の長孔により形成した係合孔５０に係合させる。前後アーム４９の基部には左右方向の左右アーム５１の左右中間部を固定し、前後アーム４９と左右アーム５１により摺接部４１を駆動させる駆動リンク部材５２を構成する。駆動リンク部材５２は左右アーム５１の左右中間部を取付軸５３により枠体３８側の所定部分に回動自在に取付ける。
前記左右アーム５１の左右両端にはワイヤー等の一対の駆動伝達手段５５を夫々連結し、一対の駆動伝達手段５５のうちの一方をモータ等の駆動手段（図示省略）により牽引すると、一対の駆動伝達手段５５のうちの他方の駆動伝達手段５５は弛むように、駆動手段に連結する。
【００１６】
即ち、駆動手段は、所定量駆動すると正逆転する構成とし、一対の駆動伝達手段５５を交互に牽引し、これにより前側拡散用移動部材４０を左右往復移動させる。
前記前側拡散用移動部材４０を設けた前側シーブ２６は、前記唐箕ケーシング１７の送風口５８より始端側の揺動選別棚２０に設ける。
そのため、唐箕１６からの選別風が作用しない非作用域に前側シーブ２６を設けても、前側拡散用移動部材４０により被処理物を拡散させて選別することで、選別効率を十分確保でき、その結果、唐箕ケーシング１７の送風口送風口５８より始端側の揺動選別棚２０に前側シーブ２６を配置させて、前側シーブ２６の作用面積を拡大して全体の選別効率を向上させられる。
しかして、前記吸引排塵ファン３３のケーシング３４の吸引口５９は、揺動選別棚２０の前後揺動方向に対して後部左側に設けており、前記左右方向に複数並設した各前側拡散用移動部材４０の上部には吸引口５９に被処理物をガイド体６０を設ける。
【００１７】
ガイド体６０は縦板部材により形成し、平面視、後方に至るに従い左側に位置するように傾斜させて設ける。
そのため、前側拡散用移動部材４０により揺動選別棚２０上の被処理物を拡散させつつ、ガイド体６０により吸引排塵ファン３３側に被処理物を誘導するので、前側拡散用移動部材４０の拡散による穀粒の回収効率の向上と、ガイド体６０による吸引排塵ファン３３の藁屑の吸引効率の向上とを図れる。
前記シーブ２３の前側シーブ２６と後側シーブ２７のうち、後側シーブ２７は、背面視において、前記吸引排塵ファン３３のケーシング３４の吸引口５９側を低くなるように傾斜させて揺動選別棚２０に取付ける（図９）。
そのため、吸引排塵ファン３３の藁屑の吸引効率を向上させ、全体の選別効率を向上させられる。
【００１８】
即ち、前側シーブ２６の前側拡散用移動部材４０により蛇行させられて、後側シーブ２７に至った被処理物には排塵処理装置３５により処理された被処理物が加わって、排塵処理装置３５側の揺動選別棚２０の被処理物量が多くなるが、後側シーブ２７を、吸引排塵ファン３３の吸引口５９側を低く傾斜させているので、前側拡散用移動部材４０と相俟って、全体の選別効率を向上させられる。
図２，図５，図１０ではシーブ２３の前側シーブ２６と後側シーブ２７のうち、前側シーブ２６に前側拡散用移動部材４０を設け、後側シーブ２７のフィン３７の傾斜角度調節自在に構成している。
そのため、シーブ２３の前側シーブ２６の前側拡散用移動部材４０により揺動選別棚２０上の被処理物を蛇行させて後方移送し、選別時間を長くして穀粒の回収効率を向上させると共に、後側シーブ２７のフィン３７の傾斜角度を調節することによって、被処理物の藁屑の混入率等の性状の相違に対して最適状態で揺動選別棚２０による選別を行うことができ、全体の選別効率を向上させられる。
【００１９】
後側シーブ２７のフィン３７の傾斜角度調節機構の構成は任意であるが、フィン３７の基部を軸６３により枠体３８に回動自在に軸着し、フィン３７の回動端に作動軸６４を設け、揺動選別棚２０の側板６９より外側に突出させた作動軸６４に作動アーム６５を取付ける。６６は操作伝達部材（ワイヤー）、６７はバネである。
また、前側シーブ２６と後側シーブ２７の夫々は枠体３８に設け、枠体３８ごと揺動選別棚２０に対して着脱自在に構成している。
したがって、後側シーブ２７は傾斜角度調節機構と共に着脱自在となる。
この場合、後側シーブ２７のフィン３７の傾斜角度調節機構の作動アーム６５は、フィン３７の軸６３同軸状に配置した取付軸６３Ａに取付け、作動アーム６５とフィン３７の回動中心を同心構成とする。
【００２０】
そのため、後側シーブ２７の傾斜角度調節機構の構成を簡素にする。
また、後側シーブ２７の傾斜角度調節機構ごと枠体３８の着脱を容易にする。
この場合、揺動選別棚２０の左右の側板６９の上部は上方に至るに従い外側に開く傾斜面７０に形成し、前記前側シーブ２６と後側シーブ２７の夫々の左右両側の枠体３８には前記傾斜面７０に上方から重なる傾斜案内部７１を設ける。
そのため、フィン３７および枠体３８の左右幅は揺動選別棚２０の側板６９の左右幅より若干狭くして、揺動選別棚２０への取付けを容易にし、しかも、揺動選別棚２０の傾斜面７０と枠体３８の傾斜案内部７１により穀粒の漏れを防止して回収効率を低下させない。
図１３，図１４は、シーブ２３の他の実施例を示し、シーブ２３の前側シーブ２６と後側シーブ２７の夫々に前側拡散用移動部材４０と後側拡散用移動部材６１とを夫々設け、前側拡散用移動部材４０と後側拡散用移動部材６１とは単一の駆動手段により互いに反対方向に往復移動させる構成とする。
【００２１】
そのため、シーブ２３の前側シーブ２６と後側シーブ２７の夫々の前側拡散用移動部材４０と後側拡散用移動部材６１とにより揺動選別棚２０上の被処理物を互いに反対方向に蛇行させて後方移送し、選別時間を長くして穀粒の回収効率を向上させられ、揺動選別棚２０による全体の選別効率を向上させられる。
後側拡散用移動部材６１は、前側拡散用移動部材４０と同一構成とし、前後アーム４９と左右アーム５１等を有し、左右アーム５１の左右両端にはワイヤー等の一対の駆動伝達手段５５を夫々連結し、一対の駆動伝達手段５５のうちの一方をモータ等の駆動手段により牽引すると、一対の駆動伝達手段５５のうちの他方の駆動伝達手段５５は弛むように、駆動手段に連結する。
この場合、前側拡散用移動部材４０の左右アーム５１と後側拡散用移動部材６１の左右アーム５１との間は一対の後側駆動伝達手段５５Ａにより接続する。
この後側駆動伝達手段５５Ａは互いに交差させて設け、互いに反対方向に左右往復移動させる。
【００２２】
したがって、一つの駆動手段により前側拡散用移動部材４０と後側拡散用移動部材６１は同一速度で反対方向に左右往復移動して、被処理物を拡散させる。
また、各前側拡散用移動部材４０と後側拡散用移動部材６１の上部にはガイド体６０を設ける。
そのため、前側拡散用移動部材４０と後側拡散用移動部材６１により揺動選別棚２０上の被処理物を蛇行させて後方移送して、選別時間を長くして穀粒の回収効率を向上させると共に、前側シーブ２６と後側シーブ２７の夫々の前側拡散用移動部材４０上のガイド体６０により吸引排塵ファン３３側に被処理物を寄せられて、吸引排塵ファン３３による吸引で藁屑と穀粒の分離を促進させられ、全体の選別効率を向上させられる。
【００２３】
図１５〜図１９は、グレンタンク５に変えて、穀粒貯留ホッパ７３を設けた実施例であり、穀粒貯留ホッパ７３は上部に脱穀装置３の揚穀装置７４の上部を接続し、穀粒貯留ホッパ７３の下部には袋詰め用の漏斗排出口７５を設ける。
漏斗排出口７５は穀粒袋（図示省略）を装着するため、機体フレーム１より所定間隔を置いた上方に設け、穀粒貯留ホッパ７３の漏斗排出口７５の下方には所定空間を形成するように、穀粒貯留ホッパ７３は脱穀装置３の右側に設けたホッパフレーム７６の上部に設置し、ホッパフレーム７６には穀粒貯留ホッパ７３と脱穀装置３とを仕切る仕切り板７７を設ける。仕切り板７７はその上部を側面視エンジン７８の上面より上方位置させると共に、上方に至るに従い脱穀装置３側に近づくように傾斜させる。
【００２４】
そのため、穀粒貯留ホッパ７３の下方空間から脱穀装置３側への塵埃の進入遮断効果を向上させ、また、穀粒貯留ホッパ７３における袋詰め作業中にエンジン７８および排気熱風の進入遮断効果を向上させられる。
穀粒貯留ホッパ７３と脱穀装置３の間の後部に燃料タンク７９を設置し、燃料タンク７９と前記エンジン７８の間の燃料ホース（図示省略）にフィルタ８０を設置し、このフィルタ８０の側方の仕切り板７７にメンテナンス用の窓孔８１を設ける。
窓孔８１の大きさは任意であり、フィルタ８０の外形を露出させるほど大きく形成してもよい。
なお、図示は省略するが、窓孔８１には透明部材により形成した蓋を着脱自在に取り付けてもよい。
【００２５】
前記燃料タンク７９の給油口８２は、脱穀装置３の後部に設けたカッタ装置８３とアタッチメントフレーム８４の間に設ける。
そのため、穀粒貯留ホッパ７３の袋取り作業の邪魔にならずに給油作業を行える。
前記穀粒貯留ホッパ７３の後部には、起立するプレエアクリーナー８５を設ける。プレエアクリーナー８５の塵埃排出口８６は脱穀装置３側に開口させる。
そのため、操縦部６より離れた箇所にプレエアクリーナー８５を設けているので、塵埃および騒音被害を軽減して、快適な操作環境とし、また、プレエアクリーナー８５から排出される塵埃が穀粒貯留ホッパ７３の袋取り作業者に与える影響を軽減させられる。
８７はエアクリーナー、８８はラジエーターカバー、８９はステップである。
【００２６】
（実施例の作用）
刈り取られた穀稈は、脱穀室１１で回転する扱胴１０により脱穀され、脱穀された被処理物は、扱網１５から漏下して揺動選別棚２０の始端部の移送棚部２２に落下し、移送棚部２２からシーブ２３の前側シーブ２６に移送されて選別され、更に、唐箕１６からの送風と、風選室１８内で往復揺動する揺動選別棚２０の後側シーブ２７とにより選別される。
しかして、揺動選別棚２０では、シーブ２３の各フィン３７の間から穀粒を落下させて回収するため、前側シーブ２６上をの被処理物の移送時間を長くすると、穀粒回収効率を向上させられる。
【００２７】
本願では、前側シーブ２６および後側シーブ２７のうち、少なくとも、前側シーブ２６には、前側拡散用移動部材４０を設けているので、前側シーブ２６上の被処理物の移送時間を長くでき、穀粒回収効率を向上させられる。
即ち、前側拡散用移動部材４０は、揺動選別棚２０の揺動方向に対する交差方向に往復移動するので、揺動選別棚２０の揺動と相俟って前側拡散用移動部材４０は揺動選別棚２０上を被処理物が終端に向かって蛇行しながら移送させられ、移送距離が長くなって、穀粒の回収効率を向上させられ、穀粒損失の低減が図れる。
前側拡散用移動部材４０の各摺接部４１の下部の取付部４６を連結部材４７により連結し、複数の摺接部４１のうちの何れかの取付軸４８には前後アーム４９の係合孔５０に係合させ、前後アーム４９の基部には左右アーム５１の左右中間部を固定し、左右アーム５１の左右両端にはワイヤー等の一対の駆動伝達手段５５を夫々連結しているので、一対の駆動伝達手段５５のうちの一方を駆動手段により牽引すると、一対の駆動伝達手段５５のうちの他方の駆動伝達手段５５は弛み、この駆動手段を所定量駆動すると正逆転させて、一対の駆動伝達手段５５を交互に牽引し、これにより前側拡散用移動部材４０を左右往復移動させる。
【００２８】
前側拡散用移動部材４０を設けた前側シーブ２６は、唐箕ケーシング１７の送風口送風口５８より始端側の揺動選別棚２０に設けているので、唐箕１６からの選別風が作用しない非作用域に前側シーブ２６を設けても、前側拡散用移動部材４０により被処理物を拡散させて選別することで、選別効率を十分確保でき、その結果、唐箕ケーシング１７の送風口５８より始端側の揺動選別棚２０に前側シーブ２６を配置させて、前側シーブ２６の作用面積を拡大して全体の選別効率を向上させられる。
吸引排塵ファン３３のケーシング３４の吸引口５９は、揺動選別棚２０の前後揺動方向に対して後部左側に設け、左右方向に複数並設した各前側拡散用移動部材４０の上部には吸引口５９に被処理物をガイド体６０を設け、ガイド体６０は後方に至るに従い左側に位置するように傾斜させて設けているので、揺動選別棚２０が揺動すると、前側拡散用移動部材４０により揺動選別棚２０上の被処理物を拡散させつつ、ガイド体６０により吸引排塵ファン３３側に被処理物を誘導し、前側拡散用移動部材４０の拡散による穀粒の回収効率の向上と、ガイド体６０による吸引排塵ファン３３の藁屑の吸引効率の向上とを図れる。
【００２９】
前記シーブ２３の前側シーブ２６と後側シーブ２７のうち、後側シーブ２７は、背面視において、前記吸引排塵ファン３３のケーシング３４の吸引口５９側を低くなるように傾斜させて揺動選別棚２０に取付けているので、吸引排塵ファン３３の藁屑の吸引効率を向上させ、全体の選別効率を向上させられる。
即ち、前側シーブ２６の前側拡散用移動部材４０により蛇行させられて、後側シーブ２７に至った被処理物には排塵処理装置３５により処理された被処理物が加わって、排塵処理装置３５側の揺動選別棚２０の被処理物量が多くなるが、後側シーブ２７を、吸引排塵ファン３３の吸引口５９側を低く傾斜させているので、前側拡散用移動部材４０と相俟って、全体の選別効率を向上させられる。
【００３０】
図１０のシーブ２３の他の実施例では、前記シーブ２３の前側シーブ２６と後側シーブ２７のうち、前側シーブ２６に前側拡散用移動部材４０を設け、後側シーブ２７のフィン３７の傾斜角度調節自在に構成しているので、シーブ２３の前側シーブ２６の前側拡散用移動部材４０により揺動選別棚２０上の被処理物を蛇行させて後方移送し、選別時間を長くして穀粒の回収効率を向上させると共に、後側シーブ２７のフィン３７の傾斜角度を調節することによって、被処理物の藁屑の混入率等の性状の相違に対して最適状態で揺動選別棚２０による選別を行うことができ、全体の選別効率を向上させられる。
後側シーブ２７のフィン３７の傾斜角度調節機構の作動アーム６５は、フィン３７の軸６３に取付け、作動アーム６５とフィン３７の回動中心を同心構成としてうるので、後側シーブ２７の傾斜角度調節機構の構成を簡素にする。
【００３１】
また、後側シーブ２７の傾斜角度調節機構ごと枠体３８を揺動選別棚２０から着脱自在にしているので、着脱を容易にし、メンテナンス作業を容易にする。
図１３のシーブ２３の他の実施例では、シーブ２３の前側シーブ２６と後側シーブ２７の夫々に前側拡散用移動部材４０と後側拡散用移動部材６１を設け、各前側拡散用移動部材４０上にガイド体６０を設けているので、シーブ２３の前側シーブ２６と後側シーブ２７の夫々の前側拡散用移動部材４０と後側拡散用移動部材６１により揺動選別棚２０上の被処理物を蛇行させて後方移送し、選別時間を長くして穀粒の回収効率を向上させると共に、前側シーブ２６と後側シーブ２７の夫々の前側拡散用移動部材４０とと後側拡散用移動部材６１上のガイド体６０により吸引排塵ファン３３側に被処理物を寄せられて、吸引排塵ファン３３による吸引で藁屑と穀粒の分離を促進させられ、全体の選別効率を向上させられる。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００３２】
１…機体フレーム、２…走行装置、３…脱穀装置、４…刈取装置、５…グレンタンク、６…操縦部、１０…扱胴、１１…脱穀室、１２…穀稈供給搬送装置、１３Ａ…挾扼杆、１３Ｂ…供給搬送チエン、１５…扱網、１６…唐箕、１７…唐箕ケーシング、１８…風選室、２０…揺動選別棚、２１…揺動選別装置、２２…移送棚部、２３…シーブ、２５…排出口、２６…前側シーブ、２７…後側シーブ、３０…ストローラック、３１…一番コンベア、３２…二番コンベア、３３…吸引排塵ファン、３４…ケーシング、３７…フィン、３８…枠体、４０…前側拡散用移動部材、４１…摺接部４１、４２…透孔、４３…掻き板部、４４…上側傾斜面、４５…側部傾斜縁、４６…取付部、４７…連結部材、４８…取付軸、４９…前後アーム、５０…係合孔、５１…左右アーム、５２…駆動リンク部材、５３…取付軸、５５…駆動伝達手段、５８…送風口、５９…吸引口、６０…ガイド体、６１…後側拡散用移動部材、６３…軸、６４…作動軸、６５…作動アーム、６６…操作伝達部材、６９…側板、７０…傾斜面、７１…傾斜案内部、７３…穀粒貯留ホッパ、７４…揚穀装置、７５…漏斗排出口、７６…ホッパフレーム、７７…仕切り板、７８…エンジン、７９…燃料タンク、８０…フィルタ、８１…窓孔、８２…給油口、８３…カッタ装置、８４…アタッチメントフレーム、８５…プレエアクリーナー、８６…塵埃排出口。
【図１】
0005403287.tif 000002
【図２】
0005403287.tif 000003
【図３】
0005403287.tif 000004
【図４】
0005403287.tif 000005
【図５】
0005403287.tif 000006
【図６】
0005403287.tif 000007
【図７】
0005403287.tif 000008
【図８】
0005403287.tif 000009
【図９】
0005403287.tif 000010
【図１０】
0005403287.tif 000011
【図１１】
0005403287.tif 000012
【図１２】
0005403287.tif 000013
【図１３】
0005403287.tif 000014
【図１４】
0005403287.tif 000015
【図１５】
0005403287.tif 000016
【図１６】
0005403287.tif 000017
【図１７】
0005403287.tif 000018
【図１８】
0005403287.tif 000019